(57)【要約】【課題】多機能化され、操作が複雑になったテレビジョン受像機等の操作を簡単にするメニュー表示方法等を提供すること。【解決手段】選択すべき多数のメニュー項目１２１ａ、１２１ｂ、１２１ｃ、１２２ａ、１２２ｂ等が表示されたメニュー表示画面４１０において、フォーカス枠５００を設けて置き、選択すべき特定のメニュー項目１２１ａに重ねる。フォーカス枠５００の上下の辺部分および左右の辺部分には、メニュー項目の選択可能方向を示す矢印等のマークが設けられており、視聴者は、マークの指示に従って容易に所望のメニュー項目を選択できる。【選択図】図６
2014002791.tif 000002
【特許請求の範囲】
【請求項１】
表示画面内に表示された複数のメニュー項目の中から所望のメニュー項目を選択可能としたメニュー表示装置であって、
表示画面内に、表示された前記複数のメニュー項目のうち、特定のメニュー項目が選択されたことを示すフォーカス枠を生成する制御部を有しており、
前記制御部は、前記フォーカス枠の周囲に、表示されたメニュー項目の選択可能な方向を示すマークを付与するものである、ことを特徴としたメニュー表示装置。
【請求項２】
フォーカス枠が一定の周期で明滅を繰り返すことを特徴とした請求項１に記載のメニュー表示装置。
【請求項３】
フォーカス枠の移動が生じる度に、フォーカス枠の明滅状態をリセットすることを特徴とする請求項２に記載のメニュー表示装置。
【請求項４】
選択されたメニュー項目を示すためのフォーカス枠が、複数のメニュー項目の中央部分に固定されており、
メニュー項目の選択は、メニュー項目を前記フォーカス枠内に移動させることにより行うことを特徴とした請求項１に記載のメニュー表示装置。
【請求項５】
選択されたメニュー項目自体を拡大表示することを特徴とする請求項１から４のいずれか一項に記載のメニュー表示装置。
【請求項６】
固定されたフォーカス枠から離れるに従って、メニュー項目を徐々に小さくしたことを特徴とする請求項４または５に記載のメニュー表示装置。
【請求項７】
前記制御部は、前記メニュー項目の選択可能な方向を示すマークとして、選択可能なメニュー項目の数に応じて異なるマークを付与することを特徴とする請求項１から６のいずれか一項に記載のメニュー表示装置。
【請求項８】
前記フォーカス枠の明滅において、明状態と滅状態との輝度差を調整することを特徴とする請求項２または３に記載のメニュー表示装置。
【請求項９】
請求項１から８のいずれか一項に記載のメニュー表示装置を備えたテレビジョン受像機。
【請求項１０】
表示画面内に表示された複数のメニュー項目の中から所望のメニュー項目を選択可能としたメニュー表示装置によるメニュー表示方法であって、
前記メニュー表示装置の制御部が、前記複数のメニュー項目を前記表示画面内に表示する工程と、
前記制御部が、表示された前記複数のメニュー項目のうち特定のメニュー項目が選択されたことを示すフォーカス枠を前記表示画面内に生成する工程と、
前記制御部が、前記フォーカス枠の周囲に、表示されたメニュー項目の選択可能な方向を示すマークを付与する工程と、を含んでいる、ことを特徴としたメニュー表示方法。
【請求項１１】
コンピュータを請求項１から８の何れか一項に記載のメニュー表示装置として動作させるプログラムであって、上記コンピュータを上記メニュー表示装置が備える各手段として機能させるプログラム。
【請求項１２】
請求項１１に記載のプログラムが記録されたコンピュータ読み取り可能な記録媒体。
【発明の詳細な説明】
【技術分野】
【０００１】
本発明は、メニュー表示装置、メニュー表示方法、メニュー表示プログラム及びメニュー表示装置を備えたテレビジョン受像機に関し、より詳細には、多数のメニュー項目の中から所望のメニュー項目を選択することが必要な多機能化したテレビ受像機に用いて最適なメニュー表示装置、表示方法及び表示プログラム等に関する。
【背景技術】
【０００２】
近年、テレビの高機能化が進み、ネット上のコンテンツの再生、内蔵ＨＤＤの再生、ネットから取得した各種の情報を表示させること等が可能となっている。そのため、テレビ視聴者は従来のテレビ視聴のみではなく、色々なコンテンツを再生・視聴することが可能となっている。
【０００３】
また、各コンテンツ間の関連情報の融合も行われており、例えば、視聴中のテレビ番組に関連した情報をネットから抽出して表示することも行われている。また、ユーザの視聴の傾向や、ネット上の情報からお勧めコンテンツを表示する等、各種のサービスの盛り込みも行われている。
【０００４】
上記のような種々の機能の選択、お好みのコンテンツの選択は、一般的には、画面上に各種機能、コンテンツを選択するためのメニューを表示しておき、表示されたメニューの中から、自分の実行したい機能の項目（メニュー項目）、或いは自分の視聴したいコンテンツを示す項目（メニュー項目）を指定することによって行われている。
【０００５】
各種の機能或いはコンテンツを示すメニュー項目が表示されたメニュー画面において、特定のメニュー項目を選択・指示するには、一般的には、リモコン等の上下左右移動キーによって、画面上に表示された特定の機能のメニュー項目、或いは特定のコンテンツ等を示すメニュー項目を選択するようにしている。（なお、以後、特定のメニュー項目を選択することを、フォーカスするとも言う。）
フォーカスされたメニュー項目は、例えば、枠で囲むこと、或いはカーソルを置くこと等によって他のメニュー項目から識別できるようにされており、特定のメニュー項目の選択は、例えば、このメニュー項目を囲む「枠」を動かすことによって行われる。この場合のフォーカスされた状態を示すための「枠」を「フォーカス枠」と言う。なお、このように特定のメニュー項目をフォーカスするために、「枠」等を動かす操作を「フォーカス枠を操作する」又は「フォーカス枠を動かす」等という。
【０００６】
以上に述べたとおり、フォーカスされたメニュー項目は、枠で囲むこと、或いはカーソルを置くこと等によって識別できるようにしているが、フォーカスされるべき箇所が多いとフォーカスが何処にあるのか一目で判りにくいことが多い。また、選択すべき機能等が多い場合、メニューを階層構造にする等の対策が必要となるが、階層構造を予め把握しておくことは容易ではなく、従って、必要なメニュー項目の選択が複雑で分かり難くなりがちであった。
【０００７】
特許文献１には、複数の階層を持つメニューの表示方法において、単純な操作によって特定の階層のメニューと、他の階層のメニューとの間の行き来を容易にできるようにし、更に、メニューの階層構造を把握し易くしたメニュー表示方法が開示されている。
【先行技術文献】
【特許文献】
【０００８】
【特許文献１】特開２０１０−１１３４２０号公報（２０１０年５月２０日公開）
【発明の概要】
【発明が解決しようとする課題】
【０００９】
特許文献１に記載の発明によれば、複数の階層を持つメニューを表示する場合に、選択中のメニュー階層で、フォーカスされたメニュー項目を、フォーカスされていない他のメニュー項目と異なる表示態様で表示すると共に、前記フォーカスされたメニュー項目と、当該フォーカスされたメニュー項目の上位階層のメニュー項目とを、例えば、縦方向に同一の線上に配置して表示させている。
【００１０】
これによれば、複数の階層を持つメニューにおいて、特定階層のメニュー項目が、例えば、上位にある階層のどのメニュー項目に含まれているメニュー項目であるかを容易に知ることができ、メニューの階層構造を比較的容易に把握できることになる。
【００１１】
しかしながら、特許文献１に記載されたメニュー項目の表示方法では、他のメニュー項目をフォーカスするために、フォーカス枠をどの方向に動かせば良いかが直ちには分らず、上下左右のいずれに移動可能であるか実際に動かしてみないと分らないことがあり、操作する前に移動可能な方向を示す工夫が求められている。
【００１２】
また、単に移動する方向を指示するだけでは、移動がカテゴリーの変更となるのか、それとも同一カテゴリー内の多数のメニュー項目からの選択になるのか分り難いという課題がある。
【００１３】
更に、同一カテゴリーのメニュー項目が多数あって１つの画面内に収まらない場合に、特定のメニュー項目がフォーカスされていることを示すためのフォーカス枠自体が、画面の左右方向に移動していくとすると、フォーカス枠が画面の端までくるとメニュー項目自体が移動しなければならず、表示形態の統一という点で問題があった。
【００１４】
更に、異なるカテゴリーのメニュー項目が表示されている場合に、カテゴリー毎に項目の大きさが異なる場合もあり、その際、フォーカスされたメニュー項目自体が瞬間的に大きさを変える場合があるが、この場合、ユーザがメニュー項目の大きさの変化に対応できず、フォーカスされたメニュー項目を見失うことがあるという課題を有する。
【００１５】
また、フォーカスされたメニュー項目であることを示すために、単に「枠」を付与しただけでは、フォーカスされた状態が目立たなく、ユーザが認識し難いという課題があった。
【００１６】
本願発明は、上記の課題を解決するためになされたものであって、メニュー内で特定のメニュー項目を選択・指示するためのフォーカス枠の移動方向が容易に解り、フォーカスされたメニュー項目の識別が容易であり、また、所望のメニュー項目の選択が容易となるメニュー表示方法及びメニュー表示プログラムを提供することを目的としている。
【課題を解決するための手段】
【００１７】
上記の課題を解決するために、本願の発明の一態様に係るメニュー表示装置では、表示画面内に表示された複数のメニュー項目の中から所望のメニュー項目を選択可能としたメニュー表示装置であって、表示画面内に、表示された前記複数のメニュー項目のうち、特定のメニュー項目が選択されたことを示すフォーカス枠を生成する制御部を有しており、前記制御部は、前記フォーカス枠の周囲に、表示されたメニュー項目の選択可能な方向を示すマークを付与するものであることを特徴としている。
【００１８】
上記の課題を解決するために、本願の発明の一態様に係るメニュー表示方法は、表示画面内に表示された複数のメニュー項目の中から所望のメニュー項目を選択可能としたメニュー表示装置によるメニュー表示方法であって、前記メニュー表示装置の制御部が、前記複数のメニュー項目を前記表示画面内に表示する工程と、前記制御部が、表示された前記複数のメニュー項目のうち特定のメニュー項目が選択されたことを示すフォーカス枠を前記表示画面内に生成する工程と、前記制御部が、前記フォーカス枠の周囲に、表示されたメニュー項目の選択可能な方向を示すマークを付与する工程と、を含んでいる、ことを特徴としている。
【発明の効果】
【００１９】
以上に述べたとおり、本願の発明によれば、所望のメニュー項目の選択が容易となるメニュー表示方法及びメニュー表示プログラムを提供できる。
【図面の簡単な説明】
【００２０】
【図１】本発明に係るメニュー表示方法等を適用したテレビ受像機のメニュー画面の１例を示す図である。
【図２】本発明に係るメニュー表示方法等を適用したテレビ受像機の画面遷移を説明するための図である。
【図３】本発明に係るメニュー表示方法等を適用したテレビ受像機のハードウエア構成の１例を示す図である。
【図４】本発明に係るメニュー表示方法等おけるフォーカス枠の移動の詳細を説明するための図である。
【図５】フォーカス枠の１例を示す図である。
【図６】本発明に係るメニュー表示方法等おけるフォーカス枠の移動の変形例を示す図である。
【図７】本発明に係るメニュー表示方法等を適用したテレビ受像機のメニュー画面の他の例を示す図である。
【発明を実施するための形態】
【００２１】
以下、最初に図１、図２、図３を用いて本発明の実施形態に係るテレビジョン受像機の画面構成の概略、ハードウエア構成の概略を説明し、次いで図４〜図７を参照して、本発明の実施の形態を詳細に説明する。なお、以下の説明では、本発明を実施するために好ましい種々の限定が付与されているが、本発明の技術的範囲は以下の実施の形態及び図面の記載に限定されるものではない。また、以下の説明では、同一の部材には同一の符号を付与しているので、それらの部材についての繰り返しての詳細な説明は省く。
〔テレビジョン受像機の画面構成の概要〕
（メニュー画面）
本実施形態に係るテレビジョン受像機（以下、「テレビ」と略記）がディスプレイに表示するメニュー画面１００について、図１を参照して説明する。図１は、テレビ１（図３参照）がディスプレイに表示するメニュー画面１００の構成を示す画面構成図である。
【００２２】
メニュー画面１００は、リモートコントローラ（以下、「リモコン」と略記）に設けられた特定のボタン（以下、「ホームボタン」と記載）が押下されたときにテレビ１が表示する画面であり、図１に示すように、インフォゾーン１１０と、機能・レコメンドゾーン１２０と、ネットサービスゾーン１３０とを含む。以下、インフォゾーン１１０、機能・レコメンドゾーン１２０、及びネットサービスゾーン１３０について説明する。
（インフォゾーン）
インフォゾーン１１０は、各種情報を表示するための領域であり、情報表示領域と言い換えることもできる。インフォゾーン１１０は、ユーザネーム表示領域１１１、お知らせ一覧ボタン１１２ａ、ログインボタン１１２ｂ、設定ボタン１１２ｃ、時間表示領域１１３、天気表示領域１１４、ライブ映像表示領域１１５、バナー１１６ａ〜１１６ｃ、バナー詳細表示領域１１６ｄ、及びインフォメーション表示領域１１７を含む。
【００２３】
ユーザネーム表示領域１１１は、ユーザネームを表示するための領域である。テレビ１は、その製造メーカ等が提供する特定のサーバ（以下、「メーカーサーバ」と記載）にログインする機能を有しており、メーカーサーバへのログインを完了すると、ログインの際に使用したユーザネームをユーザネーム表示領域１１１に表示する。なお、ログインを完了するまでの間、テレビ１は、ログアウト状態であることを示す文字列（図１では「ようこそゲストさん」）をユーザネーム表示領域１１１に表示する。
【００２４】
お知らせ一覧ボタン１１２ａは、お知らせ一覧画面を呼び出すためのボタンである。お知らせ一覧ボタン１１２ａがフォーカスされている状態でリモコンの決定ボタンが押下されると、テレビ１は、ディスプレイに表示する画面を、メニュー画面１００からお知らせ一覧画面へと遷移させる。なお、お知らせ一覧ボタン１１２ａは、テレビ１がネットワークに接続されている場合にのみフォーカス可能となる。
【００２５】
ログインボタン１１２ｂは、ログイン画面を呼び出すためのボタンである。ログインボタン１１２ｂがフォーカスされている状態でリモコンの決定ボタンが押下されると、テレビ１は、ディスプレイに表示する画面を、メニュー画面１００からログイン画面へと遷移させる。なお、ログインボタン１１２ｂは、テレビ１がネットワークに接続されている場合にのみフォーカス可能となる。
【００２６】
設定ボタン１１２ｃは、設定画面を呼び出すためのボタンである。設定ボタン１１２ｃがフォーカスされている状態でリモコンの決定ボタンが押下されると、テレビ１は、ディスプレイに表示する画面を、メニュー画面１００から設定画面へと遷移させる。なお、設定ボタン１１２ｃは、テレビ１がネットワークに接続されているか否かに拠らずフォーカス可能である。
【００２７】
時間表示領域１１３は、現在時刻を表示するための領域である。時間表示領域１１３における現在時刻の表示形式は任意であるが、本実施形態においては、図１に示すように、「午前＊＊：＊＊／＊＊＊＊年＊＊月＊＊日＊曜日」（／は改行を表す）という表示形式を採用している。なお、時間表示領域１１３に表示する現在時刻は、例えば、テレビ１に内蔵された時計から取得してもよいし、テレビ１に接続されたＮＴＰサーバから取得してもよい。
【００２８】
天気表示領域１１４は、テレビ１が設置されている地域の天候情報を表示するための領域である。天気表示領域１１４における天候情報の表示形式は任意であるが、本実施形態においては、天気アイコン（図１の例では晴れのち曇りのアイコン）、地域名（図１の例では「矢板市」）、及びコメント（図１の例では「関東北部は花粉飛散量大の見込み」）を含む表示形式を採用している。なお、天気表示領域１１４に表示する天候情報は、メーカーサーバ等から取得したものであってもよいし、データ放送から抽出したものであってもよい。
【００２９】
ライブ映像表示領域１１５は、メニュー画面１００に遷移する直前に全画面表示していた映像（動画像又は静止画像）を縮小表示するための領域である。例えば、メニュー画面１００に遷移する直前にある放送番組が全画面表示されていた場合、ライブ映像表示領域１１５には、その放送番組が引き続き縮小表示されることになる。また、メニュー画面１００に遷移する直前にあるウェブページが全画面表示されていた場合、ライブ映像表示領域１１５には、そのウェブページが引き続き表示されることになる。なお、ライブ映像表示領域１１５は、テレビ１がネットワークに接続されているか否かに拠らずフォーカス可能である。ライブ映像表示領域１１５がフォーカスされている状態でリモコンの決定ボタンが押下されると、テレビ１は、メニュー画面１００の表示を終了すると共に、ライブ映像の全画面表示を再開する。
【００３０】
バナー１１６ａ〜１１６ｃは、メーカーサーバから提供されたバナーであり、例えば、メーカーサーバから提供されたバナー広告である。バナー１１６ａ〜１１６ｃは、テレビ１がネットワークに接続されるか否かに拠らずフォーカス可能であり、バナー詳細表示領域１１６ｄには、フォーカスされているバナーに対応する詳細情報が表示される。バナー１１６ａ〜１１６ｃ、及び、バナー１１６ａ〜１１６ｃの各々に対応する詳細情報は、テレビ１がネットワークに接続されているときにメーカーサーバからダウンロードされ、テレビ１に蓄積される。
【００３１】
インフォメーション表示領域１１７は、メーカーサーバから提供された任意の文字列を表示するための領域である。インフォメーション表示領域１１７に表示される文字列は、インフォメーション表示領域１１７の右端から左端へと流れる。そして、最後の文字がインフォメーション表示領域１１７の左端からフレームアウトすると、最初の文字がインフォメーション表示領域１１７の右端からフレームインする。
【００３２】
なお、以下の説明においては、インフォゾーン１１０を構成するＵＩ（User Interface）要素のうち、フォーカス可能なＵＩ要素のことを、メニュー項目と総称する。具体的には、お知らせ一覧ボタン１１２ａ、ログインボタン１１２ｂ、設定ボタン１１２ｃ、ライブ映像表示領域１１５、及びバナー１１６ａ〜１１６ｃがメニュー項目に該当する。
（機能・レコメンドゾーン）
機能・レコメンドゾーン１２０は、各種機能に対応するパネル（以下、「機能パネル」と記載）１２１と、各種推薦コンテンツに対応するパネル（以下、「推薦コンテンツパネル」と記載）１２２とを表示するための領域であり、パネル表示領域と言い換えることもできる。機能パネル１２１及び推薦コンテンツパネル１２２は、機能・レコメンドゾーン１２０内に横一列に並べられる。
【００３３】
機能パネル１２１は、テレビ１が有する複数の機能の各々に対応するパネルである。ある機能パネル１２１がフォーカスされている状態でリモコンの決定ボタンが押下されると、テレビ１は、ディスプレイに表示する画面を、メニュー画面１００から、その機能パネル１２１に対応する機能を利用するための画面へと遷移させる。
【００３４】
本実施形態においては、機能パネル１２１として、裏番組パネル、スマートサーチパネル、録画リストパネル、入力切替パネル、番組表パネル、及びカレンダーパネルが用意される。例えば、裏番組パネルがフォーカスされている状態でリモコンの決定ボタンが押下されると、テレビ１は、ディスプレイに表示する画面を、メニュー画面１００から「裏番組選択画面」へと遷移させる。また、スマートサーチパネルがフォーカスされている状態でリモコンの決定ボタンが押下されると、テレビ１は、ディスプレイに表示する画面を、メニュー画面１００から「スマートサーチ画面」へと遷移させる。
【００３５】
推薦コンテンツパネル１２２は、テレビ１が選択した複数の推薦コンテンツ（裏番組、未放送番組、録画番組、又はウェブページ）の各々に対応するパネルである。ある推薦コンテンツパネル１２２がフォーカスされている状態でリモコンの決定ボタンが押下されると、テレビ１は、対応する推薦コンテンツの全画面表示を開始するか（推薦コンテンツが裏番組、録画番組、又はウェブページの場合）、又は、対応する推薦コンテンツの録画予約を行うための録画予約画面の全画面表示を開始する（推薦コンテンツが未放送番組の場合）。
【００３６】
なお、以下の説明においては、機能・レコメンドゾーン１２０を構成するＵＩ（User Interface）要素のうち、フォーカス可能なＵＩ要素のことを、メニュー項目と総称する。具体的には、機能パネル１２１及び推薦コンテンツパネル１２２がメニュー項目に該当する。
（ネットサービスゾーン）
ネットサービスゾーン１３０は、各種ネットサービスに対応するアイコン１３１を表示するための領域である。あるアイコンがフォーカスされている状態でリモコンの決定ボタンが押下されると、テレビ１は、ディスプレイに表示する画面を、メニュー画面１００から、そのアイコン１３１に対応するネットサービスを利用するための画面へと遷移させる。
【００３７】
本実施形態においては、アイコン１３１として、ＩＰＴＶアイコン、写真・マガジンアイコン、ショッピングアイコン、検索・ＴＶポータルアイコン、ネット動画アイコン、コミュニケーションアイコン、暮らしサポートアイコン、サービス一覧アイコン、及びブックマークアイコンが用意される。
【００３８】
なお、各種ネットサービスに対応するアイコン１３１は、テレビ１がネットワークに接続されているときに限って表示される。テレビ１がネットワークに接続されていない場合には、ネットワークに接続されていない旨を示すメッセージ、ネットワーク接続を奨励する動画コンテンツを呼び出すためのボタン、ネットワーク設定画面を呼び出すためのボタンなどをネットサービスゾーン１３０に表示するとよい。
【００３９】
なお、以下の説明においては、ネットサービスゾーン１３０を構成するＵＩ（User Interface）要素のうち、フォーカス可能なＵＩ要素のことを、メニュー項目と総称する。具体的には、アイコン１３１がメニュー項目に該当する。
（画面遷移）
次に、テレビ１における画面遷移について、図２を参照して説明する。図２は、テレビ１における画面遷移を示す画面遷移図である。
【００４０】
放送番組等のライブ映像が全画面表示されているときにリモコンのホームボタンが押下されると、テレビ１は、図２に示すように、ディスプレイに表示する画面を、ライブ映像（全画面表示）からメニュー画面１００へと遷移させる。
【００４１】
メニュー画面１００の状態は、インフォゾーンフォーカス状態、機能・レコメンドゾーンフォーカス状態、及びネットサービスゾーンフォーカス状態に大別される。ここで、インフォゾーンフォーカス状態は、インフォゾーン１１０に含まれるメニュー項目の何れか１つがフォーカスされている状態であり、機能・レコメンドゾーンフォーカス状態は、機能・レコメンドゾーン１２０に含まれるメニュー項目の何れか１つがフォーカスされている状態であり、ネットサービスゾーンフォーカス状態は、ネットサービスゾーン１３０に含まれるメニュー項目の何れか１つがフォーカスされている状態である。何れの状態においても、フォーカスされているメニュー項目は、そのメニュー項目を取り囲むフォーカス枠によって、他のメニュー項目と識別可能になっている。
【００４２】
インフォゾーンフォーカス状態においてリモコンの右ボタンが押下されると、テレビ１は、フォーカスするメニュー項目を、現在フォーカスされているメニュー項目の直ぐ右側に配置されたメニュー項目に変更する。同様に、インフォゾーンフォーカス状態においてリモコンの左ボタンが押下されると、テレビ１は、フォーカスするメニュー項目を、現在フォーカスされているメニュー項目の直ぐ左側に配置されたメニュー項目に変更する。なお、インフォゾーンフォーカス状態におけるフォーカス移動は、メニュー項目の位置を移動するのではなく、フォーカス枠の位置を移動することによって実現される。
【００４３】
インフォゾーンフォーカス状態においてリモコンの下ボタンが押下されると、テレビ１は、図２に示すように、メニュー画面１００の状態を、インフォゾーンフォーカス状態から機能・レコメンドゾーンフォーカス状態へと遷移させる。逆に、機能・レコメンドゾーンフォーカス状態においてリモコンの上ボタンが押下されると、テレビ１は、メニュー画面１００の状態を、機能・レコメンドゾーンフォーカス状態からインフォゾーンフォーカス状態へと遷移させる。
【００４４】
機能・レコメンドゾーンフォーカス状態においてリモコンの右ボタンが押下されると、テレビ１は、フォーカスするメニュー項目を、現在フォーカスされているメニュー項目の直ぐ右側に配置されたメニュー項目に変更する。同様に、機能・レコメンドゾーンフォーカス状態においてリモコンの左ボタンが押下されると、テレビ１は、フォーカスするメニュー項目を、現在フォーカスされているメニュー項目の直ぐ左側に配置されたメニュー項目に変更する。なお、機能・レコメンドゾーンフォーカス状態におけるフォーカス移動は、フォーカス枠の位置を移動するのではなく、メニュー項目の位置を移動することによって実現される。
【００４５】
機能・レコメンドゾーンフォーカス状態においてリモコンの下ボタンが押下されると、テレビ１は、図２に示すように、メニュー画面１００の状態を、機能・レコメンドゾーンフォーカス状態からネットサービスゾーンフォーカス状態へと遷移させる。逆に、ネットサービスゾーンフォーカス状態においてリモコンの上ボタンが押下されると、テレビ１は、メニュー画面１００の状態を、ネットサービスゾーンフォーカス状態から機能・レコメンドゾーンフォーカス状態へと遷移させる。
【００４６】
ネットサービスゾーンフォーカス状態おいてリモコンの右ボタンが押下されると、テレビ１は、フォーカスするメニュー項目を、現在フォーカスされているメニュー項目の直ぐ右側に配置されたメニュー項目に変更する。同様に、ネットサービスゾーンフォーカス状態においてリモコンの左ボタンが押下されると、テレビ１は、フォーカスするメニュー項目を、現在フォーカスされているメニュー項目の直ぐ左側に配置されたメニュー項目に変更する。ネットサービスゾーンフォーカス状態におけるフォーカス移動は、メニュー項目の位置を移動するのではなく、フォーカス枠の位置を移動することによって実現される。
【００４７】
なお、メニュー画面１００が表示されているときにリモコンの戻るボタン、ホームボタン、又は終了ボタンが押下されると、テレビ１は、メニュー画面１００の表示を終了すると共に、ライブ映像の全画面表示を再開する。
【００４８】
何れかの機能パネル１２１がフォーカスされている状態においてリモコンの決定ボタンが押下されると、テレビ１は、ディスプレイに表示する画面を、メニュー画面１００から、その機能パネル１２１に対応する機能を利用するための画面へと遷移させる。例えば、裏番組パネルがフォーカスされている状態でリモコンの決定ボタンが押下されると、テレビ１は、ディスプレイに表示する画面を、メニュー画面１００から「裏番組選択画面」へと遷移させる。また、スマートサーチパネルがフォーカスされている状態でリモコンの決定ボタンが押下されると、テレビ１は、ディスプレイに表示する画面を、メニュー画面１００から「スマートサーチ画面」へと遷移させる。
【００４９】
裏番組選択画面やスマートサーチ画面などが表示されるときにリモコンの戻るボタンが押下されると、テレビ１は、ディスプレイに表示する画面を、これらの画面からメニュー画面１００へと遷移させる。また、裏番組選択画面やスマートサーチ画面などが表示されるときにリモコンの戻るボタンが押下されると、テレビ１は、これらの画面の表示を終了すると共に、ライブ映像の全画面表示を再開する。
【００５０】
なお、フォーカスされているメニュー項目の周囲に表示されるフォーカス枠は明滅させることが好ましい。フォーカス枠の明滅周期は、例えば、０．５Ｈｚに設定すればよい。これにより、メニュー項目がカラフルな場合であっても、どのメニュー項目がフォーカスされているかをユーザが把握し易くなる。ただし、フォーカス移動が生じたときにフォーカス枠が暗状態にあると、フォーカス移動が生じたことがユーザに伝わり難くなる。そこで、本実施形態においては、フォーカス移動が生じる度にフォーカス枠の状態を明状態にリセットする構成を採用し、このような問題を回避している。また、フォーカス枠の色は任意であるが、本実施形態においては黄色を用い、背景色が黒の場合にその視認性を高めるように工夫している。
【００５１】
上述のように、フォーカス枠を明滅させることによって当該フォーカス枠を目立たせることにより、ユーザは、フォーカス枠をより認識しやすくなる。
【００５２】
また、上述のように、フォーカス枠の明滅周期を、例えば０．５Ｈｚ（つまり、２秒間に１回の明滅）とすることにより、ユーザに緊急事態（エマージェンシー）であるとの印象を与えて操作を急かしてしまうことを回避しつつ、フォーカス枠の視認性を高めることができる。
【００５３】
さらに、フォーカス枠の明滅において、フォーカス枠の明滅における輝度変化が緩やかとなるように、明の状態と滅の状態との輝度差を調整（例えば、輝度差を小さく）する構成としてもよい。輝度差を小さくすることにより、明状態から滅状態までの変化および滅状態から明状態までの変化を、小さく（つまり、緩やかに）することができる。これによって、テレビ１は、ユーザに緊急事態（エマージェンシー）であるとの印象を与えて操作を急かしてしまうことを、より効果的に回避する構成とすることができる。
【００５４】
また、フォーカス移動が生じる度にフォーカス枠の状態を明状態にリセットする構成、すなわち、フォーカス枠が移動してメニュー項目をフォーカスした時点のフォーカス枠の輝度を最も明るくする構成としてもよい。これによって、ユーザは、現在フォーカスされているメニュー項目が何れのメニュー項目であるかを容易に認識することができる。
【００５５】
なお、フォーカス枠がカテゴリー間を移動する（フォーカス枠が縦方向に移動する）場合には、メニュー項目間を移動する（フォーカス枠が横方向に移動する）場合よりもフォーカス枠の移動距離が長くなる。また、ゾーン（カテゴリー）毎に、各ゾーンに含まれるメニュー項目のサイズが異なる場合には、メニュー項目のサイズに合わせてフォーカス枠のサイズを変更する構成も考えられる。
【００５６】
このように、フォーカス枠がカテゴリー間を移動する場合、ユーザは、メニュー項目間を移動する場合よりも、移動後のフォーカス枠を見失い易い。このような場合には、フォーカス枠が移動する直前に当該フォーカス枠を明状態にリセットすることにより、ユーザの視認性を向上させることが好ましい。
〔テレビのハードウエア構成〕
次に、テレビ１のハードウエア構成について、図３を参照して説明する。図３は、テレビ１のハードウエア構成を示したブロック図である。
【００５７】
テレビ１は、図３に示すように、チューナ２０１、ビデオデコーダ２０２、映像処理部２０３、ＬＣＤコントローラ２０４、ＬＣＤ２０５、オーディオデコーダ２０６、音声処理部２０７、アンプ２０８、スピーカ２０９、ＨＤＭＩ（登録商標）レシーバ２１０、ＬＡＮインタフェース２１１、及び制御部２２０を備えている。
【００５８】
チューナ２０１は、地上波デジタル放送、ＢＳ放送、又はＣＳ放送の放送波から符号化映像信号と符号化音声信号とを復調する。ビデオデコーダ２０２は、チューナ２０１にて復調された符号化映像信号を復号する。ビデオデコーダ２０２にて復号された映像信号は、映像処理部２０３を介してＬＣＤコントローラ２０４に供給される。ＬＣＤコントローラ２０４は、映像処理部２０３により処理された映像信号が表す映像を表示するべく、ＬＣＤ２０５を制御する。オーディオデコーダ２０６は、チューナ２０１にて復調された符号化音声信号を復号する。オーディオデコーダ２０６にて復号された音声信号は、音声処理部２０７を介してアンプ２０８に供給される。アンプ２０８は、音声処理部２０７により処理された音声信号が表す音声を出力すべく、スピーカ２０９を駆動する。
【００５９】
ＨＤＭＩレシーバ２１０は、ソース機器５から供給された映像信号及び音声信号を受信する。ＨＤＭＩレシーバ２１０により受信された映像信号及び音声信号は、それぞれ、映像処理部２０３及び音声処理部２０７に供給され、チューナ２０１により復調された映像信号及び音声信号と同様、ＬＣＤ２０５及びスピーカ２０９から出力される。
【００６０】
また、ＬＡＮインタフェース２１１は、ＷＥＢサーバ及びＶＯＤサーバから、それぞれ、ＷＥＢコンテンツ及びＶＯＤコンテンツを取得する。これらのネットワークコンテンツは、何れも、制御部２２０にてソフトウエア的にデコードされる。制御部２２０にてデコードされたネットワークコンテンツを表す映像信号及び音声信号は、それぞれ、映像処理部２０３及び音声処理部２０７に供給され、チューナ２０１により復調された映像信号及び音声信号と同様、ＬＣＤ２０５及びスピーカ２０９から出力される。
【００６１】
制御部２２０は、上述した機能に加えて、図１に示すメニュー画面１００を表す映像信号を生成する機能を有している。制御部２２０にて生成されたメニュー画面１００を表す映像信号は、映像処理部２０３に供給され、チューナ２０１により復調された映像信号と同様、ＬＣＤ２０５から出力される。なお、制御部２２０は、メニュー画面１００を表す映像信号を生成するために必要となる各種情報を、ＬＡＮインタフェース２１１を介してメーカーサーバから取得することができる。
【００６２】
また、制御部２２０は以下に述べるメニュー表示方法を実現するメニュー表示装置としても機能することになる。
【００６３】
なお、制御部２２０は、ＣＰＵ（Central Processing Unit）、ＲＯＭ（Read Only Memory）、ＲＡＭ（Random Access Memory）等を備えて構成されており、ＲＯＭ、ＲＡＭ等に記録されているプログラムをＣＰＵが実行することにより、上述した各機能を実現する。
〔フォーカス枠の構成、フォーカス枠の移動〕
次に、フォーカス枠自体の構成と、フォーカス枠の移動の詳細について、図４、図５を参照して説明する。
（フォーカス枠の構成）
図５には、フォーカス枠の具体的な構成例が示されている。フォーカス枠は、矩形状の枠５００と、枠５００の上下左右の辺部分に付加される矢印５０１、５０１、５０３，５０４によって構成されている。フォーカス枠５００は、表示画面上に表示された多数のメニュー項目を選択する際に使用されるもので、例えば、フォーカス枠５００を選択したいメニュー項目上に移動させ、所望のメニュー項目を選択する。
【００６４】
枠５００の辺部分に付加された矢印５０１、５０１、５０３，５０４は、フォーカス枠５００の選択可能な方向を示しており、例えば、矢印方向にフォーカス枠５００が移動可能であることを示している。即ち、特定のメニュー項目上にあるフォーカス枠５００を移動させて別のメニュー項目をフォーカス可能であることを示している。なお、後で説明するとおり、フォーカス枠５００を固定しておき、選択すべきメニュー項目自体を移動させて、別のメニュー項目を選択する場合も意味している。例えば、既に説明したとおり、機能・レコメンドゾーンがフォーカス状態である場合は、フォーカス枠自体は固定されており、選択されるべきメニュー項目自体が移動する。
【００６５】
図５において、フォーカス枠５００には、１重の矢印５０１、５０２と２重の矢印５０３、５０４の２種類の矢印が示されているが、２重の矢印によって示された方向は、フォーカス枠５００を、１重の矢印が付与された方向より高速で移動させることが可能であることを意味している。具体的には、リモコンの上ボタン、下ボタンを押した場合、比較的低速でフォーカス枠が移動し、また、右ボタン、左ボタンを「単に（短時間）押した場合」は、同様に比較的低速で移動する。然しながら、右ボタン、左ボタンを長押し（長時間）すると、フォーカス枠５００は、右方向、左方向に高速で移動する。従って、左右方向では、比較的高速でのメニュー項目の選択が可能となる。従って、矢印は、フォーカス枠が置かれた位置等によって異なってくる。
【００６６】
また、フォーカス枠５００の周囲に表示される矢印（より具体的には、同一方向を向く矢印の数）を、フォーカス枠５００を移動させることによって選択可能なメニュー項目の数に応じて変更する構成を採用することもできる。
【００６７】
例えば、フォーカス枠５００を移動させることによって選択可能なメニュー項目が１個から１０個までである場合には、図５に示す２重の矢印５０３、５０４に、さらに１重の矢印を付加し、３重の矢印としてもよい。また、フォーカス枠５００を移動させることによって選択可能なメニュー項目が１１個から２０個までである場合には、図５に示す２重の矢印５０３、５０４に、さらに２重の矢印を付加し、４重の矢印としてもよい。
【００６８】
このように、フォーカス枠５００から見て同一方向の同一ゾーン内に選択可能なメニュー項目が多数存在する場合に、メニュー項目の数に応じて矢印の数を増やすことによって、テレビ１は、選択可能なメニュー項目のおおよその数をユーザに提示することができる。これによって、ユーザは、フォーカス枠５００の周囲に表示される矢印を一見するだけで、矢印の向く方向における同一ゾーン内に含まれる選択可能なメニュー項目のおおよその数を把握することができる。
【００６９】
フォーカス枠５００は、特定のメニュー項目が選択されたことを示す目印となるものであり、表示画面上で容易に視認される必要があり、例えば、暗い画面では黄色の目立つ色で表示する、逆に、明るい画面では比較的暗い色で表示する等の工夫が必要である。また、既に説明したとおり、０．５Ｈｚ程度の低周波数で明滅させることも効果的である。
【００７０】
なお、フォーカス枠の周囲に付加する矢印等のマークは、図５に示した矢印に限られることは無く、デザイン性を考慮した種々の形態であって良い。また、選択可能なメニュー項目の内容、例えば機能パネルと推薦コンテンツパネルとに従って異なる形状としても良い。即ち、異なるカテゴリーのメニュー項目ごとに異なるデザインのマークを付与しておけば、フォーカス枠に付与されたマークを見るだけで、どのようなカテゴリーのメニュー項目を選択できるかわかることになる。
【００７１】
また、選択するメニュー項目の大きさが異なる場合に、例えば、表示画面上で小さく表示されているメニュー項目の選択状態から大きく表示されたメニュー項目へ移動させる場合、フォーカス枠の大きさを、形状を維持しながら徐々に大きくすることも可能である。この場合、フォーカス枠の形状を維持することによって、フォーカス枠の存在している位置を認識しやすくすることができる。
【００７２】
更に、フォーカス枠５００自体の構成を変えるのではないが、フォーカス枠によって選択されたメニュー項目を明確に視認できるようにするため、或いは、メニュー項目に記載された文字等を読み易くするため、選択されたメニュー項目自体を拡大して表示させても良い。
【００７３】
以下に説明する図４では、枠５００、矢印５０１〜５０４を含めて、破線で囲み、フォーカス枠４１０ａ等として示している、即ち、例えば、フォーカス枠４１０ａは、破線４１０ａ自体を示しているのではなく、ライブ映像表示領域１１５を囲む枠と下辺に付加された１重の矢印と、左右の辺に付加された２重の矢印によって構成されたフォーカス枠を示している。
（インフォゾーンがフォーカス状態の場合）
図１、図２を用いて説明したとおり、全画面ライブ映像を表示状態のテレビ１において、リモコンのホームボタンが押し下げられると、テレビの表示画面はメニュー画面１００へと遷移される。（図１、図２参照）
図４は、このときの様子を、フォーカス枠の動きと共に示している。図４において、全画面ライブ映像が写されているテレビ受像機の表示画面４００は、リモコンのホームボタン或いは下ボタンを押すことによって、インフォゾーンがフォーカス状態にあるメニュー画面４１０（図１のメニュー画面１００に該当）に遷移される。インフォゾーンがフォーカス状態にあるメニュー画面４１０は、ライブ映像表示領域１１５にライブ映像が表示されており、更に、ライブ映像表示部分が選択されていることを示すフォーカス枠４１０ａが置かれている。
【００７４】
フォーカス枠４１０ａは、ライブ映像表示領域１１５を囲む枠として示されているが、フォーカス枠４１０ａの存在を明確にするため、低周波、例えば０．５Ｈｚ程度で明滅させている。また、周囲の映像から明確に識別できるように視認性の良い色、例えば黄色の枠としても良い。また、既に説明したが、フォーカス枠の移動（フォーカス移動）が生じたときにフォーカス枠が暗状態にあると、フォーカス移動が生じたことがユーザに伝わり難くなる。そこで、本実施形態においては、フォーカス移動が生じる度にフォーカス枠の状態を明状態にリセットする構成を採用し、このような問題を回避している。
【００７５】
なお、フォーカス枠を上記のように制御することは、フォーカス枠がインフォゾーン１１０にある場合に限られないことは言うまでも無く、以下に説明する「機能・レコメンドゾーン」がフォーカス状態の場合、「ネットサービスゾーン」がフォーカス状態の場合も同様である。
【００７６】
フォーカス枠４１０ａの左右の辺に隣接してマーク「＜＜」（２重の左方向矢印）、「＞＞」（２重の右方向矢印）が付与されており、下辺に隣接して下方向に向いた１重の矢印（マーク）が示されている。既に、図５を用いて説明したとおり、このマークは、メニュー項目の選択可能な方向を示すマークであり、２重の矢印は、単なる矢印より、高速で選択可能なことを示している。
【００７７】
メニュー画面４１０の状態で、リモコンの左ボタンを押すと、メニュー画面４１１の状態になる。これは、フォーカス枠が４１１ａの箇所に移動したことを意味しており、メニュー項目の１つである設定ボタン１１２ｃ（図１参照）がフォーカス（選択）されたことを意味している。この実施例の場合、左右方向には高速選択が可能であるが、高速選択を行う場合には、左ボタンを長押しすれば良い。同様、メニュー画面４１０の状態で、リモコンの右ボタンを押すと、メニュー画面４１２の状態になる。この状態では、メニュー項目の１つであるバナー１１６ａ（図１参照）がフォーカスされたことになる。また、右ボタンを長押しすることにより、高速選択が可能となる。
【００７８】
そして、特定のメニュー項目にフォーカスしている状態でリモコンの決定ボタンを押すことにより、フォーカスされたメニュー項目の機能等を実行させることになる。
（機能・レコメンドゾーンがフォーカス状態の場合）
メニュー画面４１０の状態で、リモコンの下ボタンを押すと、機能・レコメンドゾーンがフォーカス状態になったメニュー画面４２０に遷移する。そして、フォーカス枠４２０ａが、機能・レコメンドゾーンの中央部に遷移している。既に説明したとおり、機能・レコメンドゾーンには、メニュー項目として複数の機能パネル１２１、或いは複数の推薦コンテンツパネル１２２が配置されている（図１参照）。図４に示した例では、メニュー画面４２０において、フォーカス枠４２０ａは、特定のパネル、例えば、機能パネル４２１をメニュー項目の１つとして選択している。
【００７９】
フォーカス枠４２０ａの上下の辺には、上方向、下方向に向いた矢印（マーク）が夫々付与されており、フォーカス枠４２０ａの左右の辺部分には、マーク「＜＜」（２重の左方向矢印）、マーク「＞＞」（２重の右方向矢印）が付与されている。既に説明したとおり、このマークは、メニュー項目の選択可能な方向を示すマークであり、２重の矢印は、１重の矢印より、高速で選択可能なことを示している。
【００８０】
この機能・レコメンドゾーンがフォーカス状態の場合、フォーカス枠４２０ａは、機能・レコメンドゾーン１２０の中央部分に固定されており、例えば、リモコンの右ボタンを押すと、フォーカス枠４２０ａの右側にある複数のメニュー項目が、固定されたフォーカス枠４２０ａの方向に移動し、右隣に隣接していたメニュー項目４２２が、フォーカス枠４２０ａの枠内に移動する。即ち、複数のメニュー項目が全体で左方向に１つ遷移することになる。
【００８１】
なお、フォーカス枠４２０ａの左右の辺部分には、マーク「＜＜」（２重の左方向矢印）、マーク「＞＞」（２重の右方向矢印）が付与されていて、左右方向での高速選択が可能であり、従って、リモコンの右ボタンを長押しすると、メニュー項目全体が高速で左方向に移動することになり、遠い位置にあるメニュー項目を選択する場合に、高速選択が可能になる。
（ネットサービスゾーンがフォーカス状態の場合）
メニュー画面４２０の状態で、リモコンの下ボタンを押すと、ネットサービスゾーンがフォーカス状態の場合のメニュー画面４３０に移る。この場合、フォーカス枠４３０ａは、ネットサービスゾーン１３０の中央部分に配置されたメニュー項目上に置かれていることがわかる。
【００８２】
フォーカス枠４３０ａの上下の辺部分には、上方向、下方向に向いた矢印（マーク）が夫々付与されており、フォーカス枠４３０ａの左右の辺部分には、マーク「＜＜」（２重の左方向矢印）、マーク「＞＞」（２重の右方向矢印）が付与されている。既に説明したとおり、このマークは、メニュー項目の選択可能な方向を示すマークであり、２重の矢印は、１重の矢印より、高速で選択可能なことを示している。
【００８３】
メニュー画面４３０の状態、即ち、フォーカス枠４３０ａがネットサービスゾーン１３０の中央部分にある場合、例えば、リモコンの右ボタンを押すと、メニュー画面４３２に示すとおり、フォーカス枠が右方向に移動してフォーカス枠４３２ａとなる。同様、メニュー画面４３０の状態で、リモコンの左ボタンを押すと、メニュー画面４３１に示すとおり、フォーカス枠が左方向に移動してフォーカス枠４３１ａとなる。
【００８４】
なお、フォーカス枠４３０ａによって選択されたメニュー項目を明確に視認できるようにするため、或いは、メニュー項目に記載された文字等を読み易くするため、選択されたメニュー項目自体を拡大表示させても良い。
【００８５】
以上、図４に記載の技術を、メニュー表示方法として捉えると、図４に示したメニュー表示方法では、表示画面内に表示された複数のメニュー項目の中から所望のメニュー項目を選択可能としたメニュー表示方法であって、
表示画面内に、表示された前記複数のメニュー項目のうち、特定のメニュー項目が選択されたことを示すフォーカス枠が設けられており、前記フォーカス枠の周囲には、表示されたメニュー項目の選択可能な方向を示すマークが付与されており、前記メニュー項目の選択可能な方向を示すマークは、高速選択が可能な方向を示すマークと、低速選択が可能な方向を示すマークとで異なるマークとしたことを特徴としたメニュー表示方法であると言える。
【００８６】
また、図４に記載の技術をメニュー表示装置として捉えると、図４に示したメニュー表示装置では、表示画面内に表示された複数のメニュー項目の中から所望のメニュー項目を選択可能としたメニュー表示装置であって、
表示画面内に、表示された前記複数のメニュー項目のうち、特定のメニュー項目が選択されたことを示すフォーカス枠を生成する制御部を有しており、
前記制御部は、前記フォーカス枠の周囲に、表示されたメニュー項目の選択可能な方向を示すマークを付与するものであり、前記メニュー項目の選択可能な方向を示すマークは、高速選択が可能な方向を示すマークと、低速選択が可能な方向を示すマークとで異なるマークとしたことを特徴としたメニュー表示装置であると言える。
【００８７】
図６は、機能・レコメンドゾーンがフォーカス状態のメニュー画面４１０の変形例を示している。フォーカス枠５００は、機能・レコメンドゾーンのメニュー項目の１つである機能パネル１２１ａを選択している。そして、機能パネル１２１ａの左側には、他の機能パネル１２１ｂ、１２１ｃが並んで配置されており、機能パネル１２１ａの右側には、例えば、推薦コンテンツパネル１２２ａ、１２２ｂが並んで配置されている。
【００８８】
この変形例では、機能パネル１２１ｂ、１２１ｃが、右側が大きい辺を持ち、且つ、左に行くに従って徐々に小さくなる台形状に形成されており、推薦コンテンツパネル１２２ａ、１２２ｂが、左側が大きい辺を持ち、且つ、右に行くに従って徐々に小さくなる台形状に形成されている。即ち、固定されたフォーカス枠５００から離れるに従って、メニュー項目を徐々に小さくなるように構成している。
【００８９】
このように構成すると、メニュー項目選択のために、リモコンの右ボタン、或いは左ボタンを押し下げると、メニュー項目自体が左方向、或いは右方向に移動することになり、あたかも、リング状に配置されたメニュー項目を、リングを回転させて選択しているような感覚になる。特に、高速選択を行った場合に、リングを回転させて選択している感覚が強くなり、選択すること自体に楽しさという感覚を持たせることができる。
【００９０】
図７（ａ）、（ｂ）は、図２において、「裏番組選択画面」、或いは「スマートサーチ画面」に移行した場合のメニュー画面の１例を示している。図７（ａ）において、メニュー画面７００は裏番組選択画面のメニュー画面であるとして説明を行うが、スマートサーチ画面の場合もほぼ同様であり、特に説明はしない。
【００９１】
図７（ａ）に示したメニュー画面７００では、表示画面の左側に視聴中のライブ映像を表示する小画面７０１が設けられており、表示画面の右側領域７０２にメニュー項目である裏番組情報が横書きで縦方向に並んで表示されている。メニュー画面７００に移行した時点で、フォーカス枠５００は複数個のメニュー項目の内、中央部付近のメニュー項目７０３をフォーカスした状態となっている。最初に表示されるメニュー画面７００でのメニュー項目の並び方は、デフォルト値に従って常に一定としても良いが、視聴経歴を生かして直前に視聴したチャンネルをフォーカスするようにしても良い。また、並び方自体を、視聴経歴に従って視聴の多い順に並べておいても良いし、更には、番組の内容を判断して視聴経歴に従って、現在選べる番組名を優先的に並べておいても良い。
【００９２】
図７（ｂ）は、フォーカス枠５００によってフォーカス状態にあるメニュー項目７０３を拡大して示している。図７（ｂ）に示すとおり、フォーカス枠５００には、フォーカス枠によって選択し得るメニュー項目を示すための矢印５０５、５０６、５０７、５０８が示されている。図７（ａ）に示すメニュー画面７００では、フォーカス枠５００は、図示した中央部付近に固定されており、リモコンの操作によって、メニュー項目が移動する。
【００９３】
例えば、リモコンの上ボタンを押すことにより、矢印５０５に従って、現在フォーカス中のメニュー項目７０３の上にあるメニュー項目７０４が選択されることになるが、そのためメニュー項目自体は全体で下方向に移動する。裏番組選択画面の場合には、特定のメニュー項目をフォーカス状態（選択状態）で、リモコンの決定ボタンを押せば、全画面ライブ映像表示状態となり、選択した新たな裏番組を視聴することになる。
【００９４】
図７（ｂ）において、フォーカス枠５００の上辺の左端部には、左方向を示す矢印が「ＣＳ」の文字と共に示されている。また、右端部には右方向を示す矢印が「ＢＳ」の文字と共に示されている。これは、リモコンの左ボタンを押せば、ＣＳ放送の裏番組情報の表示状態に移行し、右側領域７０２には、ＣＳ放送の番組が表示されることになる。同様に、リモコンの右ボタンを押せば、ＢＳ放送の裏番組情報の表示状態に移行し、右側領域７０２には、ＢＳ放送の番組が表示されることになる。
【００９５】
中央部分に「地上」の文字が表示されているが、これは右側領域に地上デジタル放送の裏番組情報が表示されていることを意味している。従って、ＣＳ放送が選ばれた後では、中央部分に「ＣＳ」の文字が表示されることになり、それに応じて、左右いずれかの領域に「地上」の文字が表示される。図７（ｂ）に示した例では、高速選択が可能であることを示す２重矢印の標記はないが、極めて多数の放送がある場合等には、高速選択を可能としても良いことは言うまでもない。
【００９６】
また、図４における機能・レコメンドゾーン１２０に示すように、フォーカス枠によってフォーカスされているメニュー項目のサイズを拡大して表示（拡大表示）すると共に、フォーカス枠からの距離に応じてメニュー項目のサイズが小さくなるようを調整してもよい。これによって、現在選択されているメニュー項目をより目立たせることができるため、ユーザの視認性を向上させることができる。
【００９７】
なお、これによって、図６に示すメニュー画面４１０の一例と同様に、メニュー項目自体を移動させた場合にメニュー項目自体がリング状に回転しているように視認されることとなる。したがって、所望のメニュー項目を探す操作自体に一種の楽しさを与えることができる等使い勝手の良いテレビ１を実現できる。
【００９８】
フォーカス枠によってフォーカスされているメニュー項目の拡大表示は、フォーカス枠の移動（又はメニュー項目自体の移動）が完了した時点から開始してもよい。また、フォーカス枠の移動（又はメニュー項目自体の移動）を開始する時点からフォーカス枠の移動が完了する時点までの間に、所望のサイズまでメニュー項目が徐々に拡大される構成としてもよい。
【００９９】
さらに、同一ゾーン内においてフォーカス枠を高速移動させている場合（つまり、高速選択を実行している間）には、メニュー項目の拡大表示は行わない構成としてもよい。この場合には、高速移動が完了して、フォーカスすべきメニュー項目が確定した時点でメニュー項目の拡大表示を行えばよい。
【０１００】
これにより、テレビ１は、フォーカス枠の高速移動中にメニュー項目が次々拡大表示されることによってユーザの視認性が低下してしまうことを防ぐことができる。また、テレビ１は、フォーカス枠の高速移動中にはメニュー項目の拡大表示に関する処理を行う必要がないため、フォーカス枠を高速移動させる際の処理量を低減することができる。
（メニュー表示装置の構成）
上記に述べた、メニュー表示は、図３に示したテレビ１の映像処理部２０３、ＬＣＤコントローラ２０４、ＬＣＤ２０５、制御部２２０によって実現されものであるが、制御をソフトウエアで実現する場合には、主として制御部２２０で実現される。
【０１０１】
即ち、表示画面内に表示された複数のメニュー項目の中から所望のメニュー項目を選択可能としたメニュー表示装置は、以下の機能を有する制御部２２０によって実現される。即ち、制御部２２０は、表示画面内に、表示された前記複数のメニュー項目のうち、特定のメニュー項目が選択されたことを示すフォーカス枠を生成する機能を有しており、この制御部２２０は、更に、前記フォーカス枠の周囲に、表示されたメニュー項目の選択可能な方向を示すマークを付与するものであり、前記メニュー項目の選択可能な方向を示すマークは、高速選択が可能な方向を示すマークと、低速選択が可能な方向を示すマークとで異なるマークとして機能されている。そして、このような構成によって、表示画面内に表示された複数のメニュー項目の中から所望のメニュー項目を選択可能としたメニュー表示装置を実現している。
【０１０２】
なお、本願の発明に係るメニュー表示方法、メニュー表示装置等は、テレビ受像機に限らず、多数のメニュー項目を選択する必要がある機器、例えばスマートフォン等にも好適に用いることができる。
【０１０３】
（プログラム、記憶媒体）
既に述べたとおり、図３に示したテレビ１のハードウエア構成では、種々の制御を制御部２２０で行うこととしている。従って、上記に述べたメニュー画面の表示、フォーカス枠による特定のメニュー項目のフォーカス（選択）等は、制御部２２０によって行われる。このような制御は、集積回路（ＩＣチップ）上に形成された論理回路によってハードウエア的に実現してもよいし、ＣＰＵ（Central Processing Unit）を用いてソフトウエア
的に実現してもよい。
【０１０４】
後者の場合、制御部２２０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウエアである制御部２２０の制御プログラムのプログラムコード（実行形式プログラム、中間コードプログラム、ソースプログラム）をコンピュータで読み取り可能に記録した記録媒体を、制御部２２０に供給し、そのコンピュータ（またはＣＰＵやＭＰＵ）が記録媒体に記録されているプログラムコードを読み出し実行することによっても、達成可能である。
【０１０５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１０６】
また、上記プログラムコードは、放送を介して、或いは通信ネットワークを介してテレビ１等各種の受信機で受信してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１０７】
〔まとめ〕
上述のように、本願の発明の態様１に係るメニュー表示装置では、
表示画面内に表示された複数のメニュー項目の中から所望のメニュー項目を選択可能としたメニュー表示装置であって、
表示画面内に、表示された前記複数のメニュー項目のうち、特定のメニュー項目が選択されたことを示すフォーカス枠を生成する制御部を有しており、
前記制御部は、前記フォーカス枠の周囲に、表示されたメニュー項目の選択可能な方向を示すマークを付与するものであり、前記メニュー項目の選択可能な方向を示すマークは、高速選択が可能な方向を示すマークと、低速選択が可能な方向を示すマークとで異なるマークとしたことを特徴としている。
【０１０８】
これによれば、多数あるメニュー項目の内から、所望のメニュー項目を、メニュー枠を移動するだけで簡単に選択することができ、また、メニュー項目の数が多いことから、高速選択が可能な方向を明示したメニュー表示装置が得られることとなり、例えば、このようなメニュー表示装置をテレビ受像機に用いた場合には多くのコンテンツから選択する項目方向に高速選択可能であることを明示したり、多くの推奨されるテーマから選択する項目の方向に高速選択可能であることを明示したり、或いは、チャンネル選択のように多くのチャンネルから選択する方向に高速選択可能であることを明示することにより、ユーザは容易に高速選択可能であることを認識し、高速選択することで、多くの項目が並ぶ方向への選択を短時間で行うことができ、使い勝手の良いテレビ受像機等を実現することができる。
【０１０９】
また、本願の発明の態様２に係るメニュー表示装置では、前記態様１において、高速選択は、フォーカス枠を表示画面内で高速移動させることで行い、低速選択は、フォーカス枠を高速選択より遅い速度で移動させることを特徴としている。
【０１１０】
これによれば、選択すべきメニュー項目が多いことから選択時間が長くなる場合に高速選択することで、多くの項目が並ぶ方向への選択を短時間で行うことができ、使い勝手の良いテレビ受像機等を実現することができる。
【０１１１】
また、本願の発明の態様３に係るメニュー表示装置では、前記態様１又は２において、フォーカス枠が一定の周期で明滅を繰り返すことを特徴としている。
【０１１２】
これによれば、フォーカス枠の視認が容易になる。メニュー項目にいろいろな色が含まれている場合もあり、そうするとフォーカス枠がどのような色、輝度であっても目立たない場合もある。フィーカス枠の輝度が周期的に変動することによって、所望のメニュー項目が選択されているか否かが極めて容易に認識でき、操作性を向上させることができる。
【０１１３】
また、本願の発明の態様４に係るメニュー表示装置では、前記態様３において、フォーカス枠の移動が生じる度に、フォーカス枠の明滅状態をリセットすることを特徴としている。
【０１１４】
これによれば、フォーカス枠の視認が容易になる。フォーカス枠が周期的に明滅する際に、フォーカス枠の移動するタイミングとフォーカス枠の明滅で最も輝度が下がったタイミングが偶然に合致する場合がある。その際、フォーカス枠の位置が瞬間的に不明となりユーザが混乱してしまう。フォーカス移動時に明状態にリセットされることによって、フォーカス枠移動後の位置が明確になり操作性を向上させることができる。
【０１１５】
また、本願の発明の態様５に係るメニュー表示装置では、前記態様１において、選択されたメニュー項目を示すためのフォーカス枠が、複数のメニュー項目の中央部分に固定されており、メニュー項目の選択は、メニュー項目を前記フォーカス枠内に移動させることにより行うことを特徴としている。
【０１１６】
これによれば、メニュー枠自体が選択すべき項目群の中央に常にあるため、もっとも視認性がよい。固定された一箇所にあるため、選択されたメニュー項目の確認が容易である。
【０１１７】
また、本願の発明の態様６に係るメニュー表示装置では、前記態様５において、高速選択は、メニュー項目を高速で移動させることで行い、低速選択は、メニュー項目を高速選択より遅い速度で移動させることで行うことを特徴としている。
【０１１８】
これによれば、選択すべきメニュー項目が多いことから選択時間が長くなる場合に高速選択することで、多くの項目が並ぶ方向への選択を短時間で行うことができ、使い勝手の良いテレビ受像機等を実現することができる。
【０１１９】
また、本願の発明の態様７に係るメニュー表示装置では、前記態様１から６において、選択されたメニュー項目自体を拡大表示することを特徴としている。
【０１２０】
これによれば選択されたメニュー項目を視認しやすくなり、また、メニュー項目中に文字が記載されている場合には文字を視認しやすくしたり、テロップ表示がある場合には画面の拡大に伴いテロップを動かす等使い勝手の良いメニュー表示装置を実現できる。
【０１２１】
また、本願の発明の態様８に係るメニュー表示装置では、前記態様５から７において、固定されたフォーカス枠から離れるに従って、メニュー項目を徐々に小さくしたことを特徴としている。
【０１２２】
これによれば、所望のメニュー項目を選択するためにメニュー項目自体を移動させた場合に、メニュー項目自体がリング状に回転しているように視認されることとなり、多くのメニューが円筒状の回転体に配置されているように認識され、視覚上自然な動きとなるし、所望のメニュー項目を探す操作自体に一種の楽しさを与えることができる等使い勝手の良いメニュー表示装置を実現できる。
【０１２３】
また、本願の発明の態様９に係るメニュー表示装置では、前記態様１から８において、前記制御部は、前記メニュー項目の選択可能な方向を示すマークとして、選択可能なメニュー項目の数に応じて異なるマークを付与することを特徴としている。
【０１２４】
これによれば、メニュー表示装置は、選択可能なメニュー項目が多数存在する場合に、メニュー項目の数に応じて異なるマーク（例えば、矢印の数を増やす）を付与することによって、選択可能なメニュー項目のおおよその数をユーザに提示することができる。したがって、ユーザは、フォーカス枠の周囲に付与されるマークを一見するだけで、同一ゾーン内に含まれる選択可能なメニュー項目のおおよその数を把握することができる。
【０１２５】
また、本願の発明の態様１０に係るメニュー表示装置では、前記態様３から９における前記フォーカス枠の明滅において、明状態と滅状態との輝度差を調整することを特徴としている。
【０１２６】
これによれば、ユーザに緊急事態であるとの印象を与え、操作を急かしてしまうことを防ぐことができる。
【０１２７】
また、本願の発明の態様１１に係るメニュー表示装置は、前記態様７において、高速選択を実行している間は、選択されたメニュー項目を拡大表示しないことを特徴としている。
【０１２８】
これにより、メニュー表示装置は、フォーカス枠の高速移動中にメニュー項目が次々拡大表示されることによってユーザの視認性が低下してしまうことを防ぐことができる。また、メニュー表示装置は、フォーカス枠の高速移動中にはメニュー項目の拡大表示に関する処理を行う必要がないため、フォーカス枠を高速移動させる際の処理量を低減することができる。
【０１２９】
また、本願の発明の態様１２に係るテレビジョン受像機では、前記態様１から１１におけるメニュー表示装置を使用したテレビジョン受像機であることを特徴としている。
【０１３０】
これによれば、多くのコンテンツから選択する項目方向に高速選択可能であることを明示したり、多くの推奨されるテーマから選択する項目の方向に高速選択可能であることを明示したり、或いは、チャンネル選択のように多くのチャンネルから選択する方向に高速選択可能であることを明示することにより、ユーザは容易に高速選択可能であることを認識し、高速選択することで、多くの項目が並ぶ方向への選択を短時間で行うことができ、使い勝手の良いテレビ受像機等を実現することができる。
【０１３１】
また、本願の発明の態様１３に係るメニュー表示方法では、
表示画面内に表示された複数のメニュー項目の中から所望のメニュー項目を選択可能としたメニュー表示方法であって、
表示画面内に、表示された前記複数のメニュー項目のうち、特定のメニュー項目が選択されたことを示すフォーカス枠が設けられており、前記フォーカス枠の周囲には、表示されたメニュー項目の選択可能な方向を示すマークが付与されており、前記メニュー項目の選択可能な方向を示すマークは、高速選択が可能な方向を示すマークと、低速選択が可能な方向を示すマークとで異なるマークとしたことを特徴としている。
【０１３２】
これによれば、多数あるメニュー項目の内から、所望のメニュー項目を、メニュー枠を移動するだけで簡単に選択することができ、また、メニュー項目の数に応じて高速選択することも可能となるメニュー表示方法が得られることとなる。
【０１３３】
また、本願の発明の態様１４に係るプログラムは、コンピュータを、前記態様１から１１のメニュー表示装置として動作させるためのプログラムであって、前記コンピュータを前記メニュー表示装置が備える各手段として機能させるプログラムであることを特徴としている。
【０１３４】
これによれば、使い勝手の良いメニュー表示装置を極めて容易に実現することが出来ることになる。
【０１３５】
また、本願の発明の態様１５に係るコンピュータ読み取り可能な記録媒体では、前記態様１４におけるコンピュータを前記メニュー表示装置が備える各手段として機能させるプログラムが記録されたコンピュータ読み取り可能な記録媒体であることを特徴としている。
【０１３６】
これによれば、前記コンピュータを前記メニュー表示装置が備える各手段として機能させるプログラムを容易に且つ確実に流通させることができる。
【０１３７】
なお、ここで開示された実施の形態はすべての点で例示であって制限的なものではないと考えられるべきである。本発明の範囲は、上記した説明だけではなく、特許請求の範囲によって示され、特許請求の範囲と均等の意味および範囲内でのすべての変更が含まれることが意図される。
【産業上の利用可能性】
【０１３８】
本発明は、多機能化され、操作が複雑になったテレビジョン受像機等の操作を簡単にするメニュー表示方法等を提供するものであり、産業上の利用可能性は高い。
【符号の説明】
【０１３９】
１：テレビジョン受像機
１００：メニュー画面
１１０：インフォゾーン
１１１：ユーザネーム表示領域
１１２ａ：お知らせ一覧ボタン
１１２ｂ：ログインボタン
１１２ｃ：設定ボタン
１１３：時間表示領域
１１４：天気表示領域
１１５：ライブ映像表示領域
１１６ａ〜１１６ｃ：バナー
１１６ｄ：バナー詳細表示領域
１１７：インフォメーション表示領域
１２０：機能・レコメンドゾーン
１２１：機能パネル
１２２：推薦コンテンツパネル
１３０：ネットサービスゾーン
１３１：ネットサービスに対応するアイコン
２０１：チューナ
２０２：ビデオレコーダ
２０３：映像処理部
２０４：ＬＣＤコントローラ
２０５：ＬＣＤ
２０６：オーディオデコーダ
２０７：音声処理部
２０８：アンプ
２０９：スピーカ
２１０：ＨＤＭＩレシーバ
２１１：ＬＡＮインタフェース
２２０：制御部
４００：テレビ表示画面
４１０、４１１、４１２：インフォゾーンがフォーカス状態にあるメニュー画面
４１０ａ、４１１ａ、４１２ａ：フォーカス枠
４２０：機能・レコメンドゾーンがフォーカス状態にあるメニュー画面
４２０ａ：フォーカス枠
４２１：機能パネル（メニュー項目）
４２２：メニュー項目
４３０、４３１、４３２：ネットサービスゾーンがフォーカス状態にあるメニュー画面
４３０ａ、４３１ａ、４３２ａ：フォーカス枠
５００：フォーカス枠
５０１、５０２：低速選択が可能なことを示す矢印
５０３、５０４：高速選択が可能なことを示す矢印
７００：裏番組選択のメニュー画面
【図１】
2014002791.tif 000003
【図２】
2014002791.tif 000004
【図３】
2014002791.tif 000005
【図４】
2014002791.tif 000006
【図５】
2014002791.tif 000007
【図６】
2014002791.tif 000008
【図７】
2014002791.tif 000009